【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
ネットワーキングフレームワークを実行する制御デバイスによって、定義エリア内のスマートオブジェクトと対話するための方法であって、
前記制御デバイスから、前記ネットワーキングフレームワークに関連付けられた第1の通信チャネル上で信号をブロードキャストするステップであって、前記信号は、前記ネットワーキングフレームワークに登録されている前記スマートオブジェクトのうちの複数のスマートオブジェクトによる受信用に構成されるとともに、前記複数のスマートオブジェクトのうちの1つまたは複数に、前記ネットワーキングフレームワークに関連付けられた第2の通信チャネルを介して、前記ネットワーキングフレームワークへの登録中に割り当てられた、前記複数のスマートオブジェクトのうちの前記1つまたは複数の、総称識別子を含む応答信号を送信させるように構成される、ステップと、
前記制御デバイスによって、前記定義エリア内にある前記複数のスマートオブジェクトのサブセットによって送信された前記応答信号を受信するステップと、
前記制御デバイスによって、前記ネットワーキングフレームワーク内で、前記応答信号がそこから受信された各スマートオブジェクトを、前記制御デバイスおよび前記複数のスマートオブジェクトの前記サブセットが置かれている前記定義エリアへの参照を含む新たな識別情報で改名するステップと、
前記制御デバイスによって、前記定義エリアへの前記参照を含む前記新たな識別情報を使って、前記改名されたスマートオブジェクトのうちの1つまたは複数と、前記ネットワーキングフレームワークを介して通信するステップと
を含む方法。
【請求項２】
前記改名されたスマートオブジェクトのうちの1つまたは複数をグループに割り当てるステップをさらに含み、前記新たな識別情報は、前記割当てグループへの参照をさらに含む、請求項1に記載の方法。
【請求項３】
前記制御デバイス中で、前記改名されたスマートオブジェクトのうちの1つまたは複数から、前記制御デバイスの2つ以上の超音波受信機において超音波信号を受信するステップと、
前記制御デバイス中で、前記制御デバイスの前記2つ以上の超音波受信機において受信された前記超音波信号に基づいて、前記1つまたは複数の改名されたスマートオブジェクトの相対位置を算出するステップと
をさらに含む、請求項1に記載の方法。
【請求項４】
前記制御デバイスから、前記改名されたスマートオブジェクトのうちの1つまたは複数に超音波信号を送信するステップであって、前記送信される超音波信号は、前記改名されたスマートオブジェクトのうちの前記1つまたは複数の各々が、前記受信された超音波信号に基づいて、前記制御デバイスの相対位置を算出することを可能にするように、前記改名されたスマートオブジェクトのうちの前記1つまたは複数の各々に関連付けられた2つ以上の超音波受信機において受信されることが可能である、ステップと、
前記制御デバイスによって、前記第1の通信チャネル上で、前記改名されたスマートオブジェクトのうちの前記1つまたは複数から前記制御デバイスに送信された、前記算出された相対位置を受信するステップと
をさらに含む、請求項1に記載の方法。
【請求項５】
前記ネットワーキングフレームワークの前記第1の通信チャネルは無線通信チャネルを含み、前記ネットワーキングフレームワークの前記第2の通信チャネルは超音波通信チャネルを含む、請求項1に記載の方法。
【請求項６】
前記制御デバイス中で、超音波信号がそこから受信された前記複数のスマートオブジェクトの各々の存在、前記複数のスマートオブジェクトの各々に対する相対方位、および前記複数のスマートオブジェクトの各々の位置のうちの1つまたは複数を判定するステップをさらに含み、
超音波信号がそこから受信された前記スマートオブジェクトの各々の、前記ネットワーキングフレームワーク内での改名は、超音波信号がそこから受信された前記複数のスマートオブジェクトの各々の前記存在、前記複数のスマートオブジェクトの各々に対する前記相対方位、および前記複数のスマートオブジェクトの各々の前記位置のうちの前記判定された1つまたは複数に基づく、請求項5に記載の方法。
【請求項７】
前記制御デバイスによって、前記制御デバイスのポインティング方向を判定するステップと、
前記制御デバイスによって、前記判定されたポインティング方向を、前記定義エリア内の前記複数のスマートオブジェクトの前記サブセット中の前記スマートオブジェクトの各々に対する前記判定された相対方位または前記スマートオブジェクトの各々の前記位置のうちの1つと比較するステップと、
前記制御デバイスによって、ディスプレイ上で、前記判定されたポインティング方向と、前記複数のスマートオブジェクトのうちの1つに対する前記判定された相対方位または前記複数のスマートオブジェクトのうちの1つの位置のうちの1つとの比較に基づいて、前記制御デバイスの前記ポインティング方向に対する相対方位または前記制御デバイスの前記ポインティング方向に対応する位置を有する前記複数のスマートオブジェクトのうちの1つの指示を与えるステップと
をさらに含む、請求項6に記載の方法。
【請求項８】
前記ネットワーキングフレームワークを介して前記複数のスマートオブジェクトの各々に通信をアドレス指定するために、前記複数のスマートオブジェクトの各々に、総称的な一意の識別子を割り当てるステップを含む、前記複数のスマートオブジェクトの各々を前記ネットワーキングフレームワークに登録するステップと、
前記制御デバイスを前記ネットワーキングフレームワークに登録するステップであって、その間に、前記制御デバイスは、それらの割り当てられた総称識別子を含む、前記複数のスマートオブジェクトのリストを受信する、ステップと
をさらに含む、請求項1に記載の方法。
【請求項９】
前記第2の通信チャネルは、20Khzを下回る周波数を有するオーディオ通信チャネルを含む、請求項1に記載の方法。
【請求項１０】
ネットワーキングフレームワーク用のクライアントを実行する制御デバイスであって、
前記ネットワーキングフレームワークに関連付けられた第1の通信チャネル上で信号をブロードキャストするための手段であって、前記信号は、前記ネットワーキングフレームワークに登録されている複数のスマートオブジェクトによる受信用に構成されるとともに、前記複数のスマートオブジェクトのうちの1つまたは複数に、前記ネットワーキングフレームワークに関連付けられた第2の通信チャネルを介して、前記ネットワーキングフレームワークへの登録中に割り当てられた、前記複数のスマートオブジェクトのうちの前記1つまたは複数の、総称識別子を含む応答信号を送信させるように構成される、手段と、
定義エリア内にある前記複数のスマートオブジェクトのサブセットによって送信された前記応答信号を受信するための手段と、
前記ネットワーキングフレームワーク内で、前記応答信号がそこから受信された各スマートオブジェクトを、前記制御デバイスおよび前記複数のスマートオブジェクトの前記サブセットが置かれている前記定義エリアへの参照を含む新たな識別情報で改名するための手段と、
前記定義エリアへの前記参照を含む前記新たな識別情報を使って、前記改名されたスマートオブジェクトのうちの1つまたは複数と、前記ネットワーキングフレームワークを介して通信するための手段と
を備える制御デバイス。
【請求項１１】
トランシーバをさらに備え、前記ブロードキャストするための手段と、前記受信するための手段と、前記改名するための手段と、前記通信するための手段とはプロセッサを備える、請求項10に記載の制御デバイス。
【請求項１２】
前記改名されたスマートオブジェクトをグループに割り当てるための手段をさらに備え、前記新たな識別情報は、前記割当てグループへの参照をさらに含む、請求項10または11に記載の制御デバイス。
【請求項１３】
前記改名されたスマートオブジェクトのうちの1つまたは複数から、前記制御デバイスの2つ以上の超音波受信機において超音波信号を受信するための手段と、
前記制御デバイスの前記2つ以上の超音波受信機において受信された前記超音波信号に基づいて、前記1つまたは複数の改名されたスマートオブジェクトの相対位置を算出するための手段と
をさらに備える、請求項10または11に記載の制御デバイス。
【請求項１４】
前記改名されたスマートオブジェクトのうちの1つまたは複数に超音波信号を送信するための手段と、
前記第1の通信チャネル上で、前記改名されたスマートオブジェクトのうちの前記1つまたは複数から前記制御デバイスに送信された、算出された相対位置を受信するための手段と
をさらに備える、請求項10または11に記載の制御デバイス。
【請求項１５】
実行されたとき、制御デバイスのプロセッサに、請求項1乃至9の何れか1項に記載の方法を実施させるように構成されたプロセッサ実行可能命令を記憶したコンピュータ可読記憶媒体。